(57)【特許請求の範囲】
【請求項１】
限定加入者グループ（ＣＳＧ）セルの測定報告方法であって、
接続状態にあるユーザー装置（ＵＥ）が、測定構成における周波数に位置しないアクセス可能な隣接ＣＳＧセルを検出した後、前記アクセス可能なＣＳＧセルの周波数情報及び帯域幅情報のうち少なくとも一方を含む指示情報を報告することで、測定構成することをネットワーク側に要求することを含む前記測定報告方法。
【請求項２】
前記アクセス可能なＣＳＧセルは、
前記アクセス可能なＣＳＧセルに属する家庭内基地局のアクセスモードがクローズドモード又はハイブリッドモードであり、且つ前記ＵＥのＣＳＧリストにあるＣＳＧセルである
請求項１に記載の前記測定報告方法。
【請求項３】
前記アクセス可能なＣＳＧセルは、
前記アクセス可能なＣＳＧセルに属する家庭内基地局のアクセスモードがハイブリッドモードであり、且つ前記ＵＥのＣＳＧリストに位置しないＣＳＧセルである
請求項１に記載の前記測定報告方法。
【請求項４】
前記ネットワーク側が前記指示情報を受信した後、前記アクセス可能なＣＳＧセルの周波数の測定構成を前記ＵＥに送信し、前記ＵＥが前記測定構成を受信した後、前記測定構成に応じて測定及び測定レポートの報告のうち少なくとも一方を実施することを含む
請求項１に記載の前記測定報告方法。
【請求項５】
前記アクセス可能なＣＳＧセルの周波数を含む測定構成は、測定間隔を含む
請求項４に記載の前記測定報告方法。
【請求項６】
前記アクセス可能なＣＳＧセルの周波数を含む測定構成は、前記測定構成の測定識別子に対応し、１つの前記アクセス可能なＣＳＧセルに専用することを表すマークを設定した測定構成であり、又は
前記アクセス可能なＣＳＧセルに対する専用の測定構成であり、当該専用の測定構成の測定識別子に対応する測定オブジェクトが、周波数情報を有しないし、又は複数の周波数情報を有する
請求項４に記載の前記測定報告方法。
【請求項７】
前記測定レポートが、ネットワーク側に唯一に確定される前記アクセス可能なＣＳＧセルの必要な識別情報をキャリーし、又は
前記測定レポートが、ネットワーク側に唯一に確定される前記アクセス可能なＣＳＧセルの必要な識別情報及び前記アクセス可能なＣＳＧセル信号品質の測定結果をキャリーし、又は
前記測定レポートが、ネットワーク側に唯一に確定される前記アクセス可能なＣＳＧセルの必要な識別情報、前記アクセス可能なＣＳＧセル信号品質の測定結果をキャリーし、及び、前記アクセス可能なＣＳＧセルのＣＳＧ  ＩＤ、前記アクセス可能なＣＳＧセルの帯域幅情報、前記ＣＳＧセルに属する家庭内基地局のアクセスモード、前記ＵＥがメンバーとして前記ＣＳＧセルにアクセスするか非メンバーとして前記ＣＳＧセルにアクセスするかに関わる指示情報のうちの少なくとも一つの情報をキャリーする
請求項４に記載の前記測定報告方法。
【請求項８】
前記アクセス可能なＣＳＧセルがロングタームエボリューション（ＬＴＥ）システムに属する場合に、ネットワーク側に唯一に確定される前記アクセス可能なＣＳＧセルの前記
識別情報は、物理層識別子及びセルグローバル識別子であり、または物理層識別子、セルグローバル識別子及びトラッキングエリアコードであり、又は、物理層識別子、セルグローバル識別子、トラッキングエリアコード及び公衆陸上移動通信網識別子であり、
前記アクセス可能なＣＳＧセルがユニバーサル陸上無線アクセスネットワーク（ＵＴＲＡＮ）システムに属する場合に、ネットワーク側に唯一に確定される前記アクセス可能なＣＳＧセルの前記識別情報は、プライマリスクランブリングコード及びセルグローバル識別子であり、またはプライマリスクランブリングコード、セルグローバル識別子及び位置エリアコードであり、またはプライマリスクランブリングコード、セルグローバル識別子及びルーティングエリアコードであり、又はプライマリスクランブリングコード、セルグローバル識別子、位置エリアコード、ルーティングエリアコードであり、又はプライマリスクランブリングコード、セルグローバル識別子、位置エリアコード、ルーティングエリアコード及び公衆陸上移動通信網識別子である
請求項７に記載の前記測定報告方法。
【請求項９】
測定構成における周波数に位置しないアクセス可能な隣接ＣＳＧセルを検出するステップにおいて、前記ＵＥは、ＣＳＧセルのシステムメッセージ又は自体に保存したＣＳＧセルの情報から前記アクセス可能なＣＳＧセルを検出する
請求項１に記載の前記測定報告方法。
【請求項１０】
前記アクセス可能なＣＳＧセルの周波数情報は、１つ又は複数の周波数情報を含む
請求項１に記載の前記測定報告方法。
【請求項１１】
限定加入者グループ（ＣＳＧ）セルの測定報告を実現できるユーザー装置（ＵＥ）であって、
接続状態にある場合に、測定構成における周波数に位置しないアクセス可能な隣接ＣＳＧセルを積極的に検出した後に、指示情報を報告することで、測定構成をネットワーク側に要求し、且つネットワーク側により送信された、前記アクセス可能なＣＳＧセルの周波数を含む測定構成を受信した後、前記測定構成に応じて測定及び測定レポートの送信のうち少なくとも一方を実施するように設定される前記ユーザー装置。
【請求項１２】
前記アクセス可能なＣＳＧセルは、
前記アクセス可能なＣＳＧセルに属する家庭内基地局のアクセスモードがクローズドモード又はハイブリッドモードであり、且つ前記ＵＥのＣＳＧリストに位置するＣＳＧセルである
請求項１１に記載の前記ユーザー装置。
【請求項１３】
前記アクセス可能なＣＳＧセルは、
前記アクセス可能なＣＳＧセルに属する家庭内基地局のアクセスモードがハイブリッドモードであり、且つ前記ＵＥのＣＳＧリストに位置しないＣＳＧセルである
請求項１１に記載の前記ユーザー装置。
【請求項１４】
前記ユーザー装置は、
ＣＳＧセルのシステムメッセージ又は自体に保存したＣＳＧセルの情報から前記アクセス可能なＣＳＧセルを検出するように設定される
請求項１１に記載の前記ユーザー装置。
【請求項１５】
前記指示情報は、
前記アクセス可能なＣＳＧセルの１つ又は複数の周波数情報を含む
請求項１１に記載の前記ユーザー装置。
【請求項１６】
ネットワーク側により送信された、前記アクセス可能なＣＳＧセルの周波数を含む測定構成は、測定間隔を含む
請求項１１に記載の前記ユーザー装置。
【発明の詳細な説明】
【技術分野】
【０００１】
本発明は、移動通信分野においてユーザー装置が隣接セルに対する測定及び報告に関し、具体的には、限定加入者グループ（Ｃｌｏｓｅｄ  Ｓｕｂｓｃｒｉｂｅｒ  Ｇｒｏｕｐ：ＣＳＧと略称する）セルの測定報告方法及び対応するユーザー装置に関する。
【背景技術】
【０００２】
移動通信システムでは、移動性要求を満たすために、ユーザー装置（Ｕｓｅｒ  Ｅｑｕｉｐｍｅｎｔ：ＵＥと略称する）があるセルにおいてネットワークとの接続が確立された後に、ＵＥは、ハンドオーバーを行うために最適なセルを選択しやすくなるように、隣接セルの信号品質を測定する必要がある。発展型ユニバーサル陸上無線アクセスネットワーク（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：ＥＵＴＲＡＮ）を例として、接続状態でＵＥによる測定の具体的なプロセスは、
ネットワーク側が、測定識別子（Ｍｅａｓｕｒｅｍｅｎｔ  Ｉｄｅｎｔｉｔｙ：ＭＩＤと略称される）と、イベントタイプと、測定オブジェクトと、測定に必要な属性とを含む測定制御メッセージをＵＥに送信する。
【０００３】
ＵＥが、測定制御メッセージにおける測定識別子に応じてパラメータ初期化処理を行い、測定制御メッセージにおける各測定オブジェクト自体の属性と測定結果を取得し、
ＵＥが、初期化されたパラメータ又は所定閾値に応じて、各測定オブジェクトの測定結果に対してイベント評価を行い、評価を介して、全部の測定オブジェクトにおいて、測定イベントのトリガ条件を満たす持続時間が所定測定トリガ時間（Ｔｉｍｅ  Ｔｏ  Ｔｒｉｇｇｅｒ：ＴＴＴと略称する）以上である測定オブジェクトを確定し、
ＵＥが、イベントトリガ条件を満たす測定オブジェクト（この際、測定オブジェクトに対応して、セルとなった）を当該イベントに対応する測定識別子のセルリスト（ｃｅｌｌｓＴｒｉｇｇｅｒｅｄＬｉｓｔ）に入れ、
ＵＥが、確定された測定オブジェクトの測定結果に応じて、測定レポートを生成してネットワーク側に送信し、測定レポートに含まれた測定オブジェクトがすべて当該イベントに対応する測定識別子のセルリストから取得されたものである。
【０００４】
移動通信システムにおいて、測定構成は、測定識別子、測定オブジェクト、測定報告のモード（例えば、イベントによるトリガ又は、周期的に報告）などを含む。ここで、測定オブジェクトは、周波数又は周波数に位置するセル群を単位とする。測定識別子は、ある測定オブジェクト（ｍｅａｓｕｒｅｍｅｎｔ  ｏｂｊｅｃｔ）と特定の測定報告構造（ｒｅｐｏｒｔｉｎｇ  ｃｏｎｆｉｇｕｒａｔｉｏｎ：レポートの属性を表す）に対応し、同一測定オブジェクトの異なる測定報告構造が、異なる測定識別子に対応する。イベントタイプの測定構成に対して、測定報告構造が、測定イベントにそれぞれ対応し（この際、１つの測定識別子が、１つの測定オブジェクト及び当該測定オブジェクトに対応する測定イベントを説明する）。現在、定義された測定イベントは、一般的に、イベントのトリガ条件、リーブ条件、イベントの所定閾値Ｔｈｒｅｓｈ、イベントのヒステリシスパラメータＨｙｓ、イベントのトリガ条件の持続時間、及びイベントのオフセットＯｆｆｓｅｔなどを含む。
【０００５】
接続状態にあるＵＥの移動性要求を満たすために、ＵＥは隣接セルに対して測定を行ってイベントトリガ条件を満たす測定オブジェクトを報告することが要求され、現在、隣接セルに対する測定イベントが複数定義された、例えば、測定イベントのトリガ条件は、隣接セルの信号品質がある閾値を超えたことであると定義し、または隣接セルの信号品質が現在セルの信号品質より所定のオフセットだけ高いと定義する。
【０００６】
イベントによりトリガされた測定レポートには、イベントによりトリガされた一回報告モード（又は、イベントによりトリガされた測定レポートと称する）と、イベントによりトリガされた周期的に報告モードと２つの報告モードを有する。イベントによりトリガされた一回報告とは、ネットワーク側が、あるＵＥのためにイベントのトリガ条件を配置し、ＵＥによって測定対象がイベントのトリガ条件を満たしたことを検出して評価した後に、イベントのトリガ条件を満たした測定オブジェクトを当該イベントに対応する測定識別子のセルリストに入れ、測定レポートを一回のみ送信し、当該レポートに含まれる測定オブジェクトがいずれもセルリストから取得されたものである。次のある時刻に、当該イベントのトリガ条件を満たす新しい測定オブジェクトがある場合、ＵＥは、新しい測定オブジェクトを当該イベントに対応する測定識別子のセルリストに入れる同時に、新しい測定レポートを再送信し、新しい測定レポートに含まれる測定オブジェクトが、いずれも当該時刻のセルリストから取得され、当該時刻の報告回数が一回だけである。
【０００７】
イベントによりトリガされた周期的に報告とは、ネットワーク側があるＵＥのためにイベントのトリガー条件を配置し、ＵＥによって測定オブジェクトがイベントのトリガー条件を満たすことを検出して評価した後に、イベントのトリガー条件を満たす測定オブジェクトを当該イベントに対応する測定識別子のセルリストに入れ、測定レポートを複数回に送信し、送信回数と時間間隔がすべてネットワーク側により配置され、毎回送信された測定レポートに含まれる測定オブジェクトがいずれも現在送信時刻のセルリストから取得されたものである。当該複数回の送信プロセスでは、又は複数回の送信終了後に、イベントのトリガー条件を満たす新しい測定オブジェクトがある場合、ＵＥは、報告回数をリセットし、新しい測定オブジェクトを当該イベントに対応する測定識別子のセルリストに入れた後、設定された時間間隔と報告回数に基づいて、順番に測定結果を再び報告し、毎回に測定レポートに含まれる測定オブジェクトがいずれも現在送信時刻のセルリストから取得されたものである。
【０００８】
ネットワーク側が、ＵＥに、報告された最強セル（ｒｅｐｏｒｔＳｔｒｏｎｇｅｓｔＣｅｌｌｓ）に対する周期的な測定を配置してもよく、ＵＥが、所定の時刻で測定された周波数の最も強い信号品質のセルにおける前の複数セルを報告し、最大報告セル数（ｍａｘＲｅｐｏｒｔＣｅｌｌｓ）の制限に応じて、毎回にＵＥが当該周波数最も強い信号品質の前のｍａｘＲｅｐｏｒｔＣｅｌｌｓ個のセルを送信し、ｍａｘＲｅｐｏｒｔＣｅｌｌｓの数値が、ネットワーク側により配置される。
【０００９】
測定オブジェクトに対する測定は、異なるシステムにおいて異なる測定方法を採用し、いずれもセルの信号品質を反映するものである。ロングタームエボリューション（Ｌｏｎｇ  Ｔｅｒｍ  Ｅｖｏｌｕｔｉｏｎ：ＬＴＥと略称する）システムにおいて、ＵＥは、基準信号受信電力（Ｒｅｆｅｒｅｎｃｅ  Ｓｉｇｎａｌ  Ｒｅｃｅｉｖｅｄ  Ｐｏｗｅｒ：ＲＳＲＰと略称し、単位がｄＢｍである）又は基準信号受信品質（Ｒｅｆｅｒｅｎｃｅ  Ｓｉｇｎａｌ  Ｒｅｃｅｉｖｅｄ  Ｑｕａｌｉｔｙ：ＲＳＲＱと略称し、単位がｄＢである）を測定する。ＷＣＤＭＡにおいて、ＵＥは、共通パイロットチャネルの受信電力（Ｒｅｃｅｉｖｅｄ  Ｓｉｇｎａｌ  Ｃｏｄｅ  Ｐｏｗｅｒ：ＲＳＣＰと略称し、単位がｄＢｍである）又は共通パイロットチャネルのＥｃ／Ｎｏ（単位がｄＢである）を測定する。ＵＥが、異なるセルの信号品質を比較する時に、同じタイプの測定結果を比較する必要がある。測定オブジェクトがイベントのトリガー条件を満したと評価した場合に、当該測定オブジェクトに対する完全な説明は、ＵＥが測定したＲＳＲＰ又はＲＳＲＱを含むだけでなく、当該測定オブジェクトの周波数特定オフセット（ｆｒｅｑｕｅｎｃｙ  ｓｐｅｃｉｆｉｃ  ｏｆｆｓｅｔ：Ｏｆｎと略称する）、セルの特定オフセット（ｃｅｌｌ  ｓｐｅｃｉｆｉｃ  ｏｆｆｓｅｔ；Ｏｃｎを略称する）を含み、ＬＴＥに定義されるＡ４イベントを例として、隣接セルの信号品質がある閾値より高い。数学で具体的に説明するのは、Ｍｎ＋Ｏｆｎ＋Ｏｃｎ−Ｈｙｓ＞Ｔｈｒｅｓｈとなり、ＭｎがＵＥによって測定した隣接セルのＲＳＲＰ又はＲＳＲＱである。
【００１０】
現行無線ネットワークシステムの構築において、室内カバーはネットワーク構築の最も重要なポイントとなり、最適な室内カバーレッジスキームが、一方で、ネットワークが最大限にその役目を果たすようにできるし、キャリアに利益をさらにもたらし、一方で、キャリアのネット構築コストを大幅に節約し、低コストと高収益を確実に実現させることができる。これによって、家庭内基地局（Ｈｏｍｅ  ＮＢ）と呼ばれる無線アクセス装置は生まれた。家庭内基地局は、個人ユーザーの専用リソースとして、家庭、団体、会社又は学校などの個人的な場所に配置され、ユーザーに各種の高速無線アクセスサービスと優待価格を提供することができる同時に、従来の分散型セルラー無線通信システムのカバーレッジ不足による矛盾を補うことができる。
【００１１】
現在、家庭内基地局は、オープンモード、クローズドモード及びハイブリッドモードを有する。オープンモードの家庭内基地局は、全てのユーザーのアクセスを許容し、当該場合、家庭内基地局セルがマクロセルである。クローズドモードの家庭内基地局は、許可されたユーザー、例えば、家庭メンバー、団体メンバーなどのユーザーのアクセスを許容し、これらの許可されたユーザーが、非公開ユーザーグループ又は限定加入者グループ（Ｃｌｏｓｅｄ  Ｓｕｂｓｃｒｉｂｅｒ  Ｇｒｏｕｐ：ＣＳＧ）と称され、認証情報が、ＵＥの汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ：ＵＳＩＭ）カードに保存される。ハイブリッドモードの家庭内基地局は、全部のユーザーのアクセスを許容するが、当該ＣＳＧユーザーグループに属するユーザーに対して、優先又は優待条件を与える。マクロ基地局（ＮｏｄｅＢ又はｅＮｏｄｅＢ）によってカバーレッジのセルがマクロセルと称されることに対して、家庭内基地局によってカバーレッジのセルが、ＣＳＧ識別子（Ｉｄｅｎｔｉｔｙ：ＩＤ）を有するＣＳＧセルと称される。ＵＥは、ＣＳＧに属する家庭内基地局のアクセスモード及び／又はＵＳＩＭカードに保存される許可ＣＳＧリスト（Ａｌｌｏｗｅｄ  ＣＳＧ  ｌｉｓｔ）情報を判断することを介して、あるＣＳＧセルが前記ＵＥ自体のアクセスを許容するかどうかを判断することできる。所定のＵＥに対して、アクセスが許容されたＣＳＧセルの数が一般的に有限であるため、ＵＥは、一度アクセスしたＣＳＧセルの情報（ｆｏｏｔｐｒｉｎｔ情報（フットプリント情報）と称される）をローカル保存することができ、ｆｏｏｔｐｒｉｎｔ情報を介して、ＵＥは、再選択とハンドオーバー時、ＣＳＧセルに正確で快速的に進むことができる。
【００１２】
家庭内基地局は、キャリアによって家庭内基地局に事前に設定した特殊な周波数リソース（ＣＳＧ専用周波数称される）を利用してよいし、マクロ基地局との同じな周波数リソース（ミクスト周波数と称される）を利用してもよくて、同じ周波数におけるセルの間が、物理層識別子ＰＣＩ（Ｐｈｙｓｉｃａｌ  Ｌａｙｅｒ  Ｉｄｅｎｔｉｔｙ）に応じて区分され、家庭内基地局とマクロ基地局が同じ周波数を利用する場合に、キャリアによって家庭内基地局のために特殊なＰＣＩリソース（ＰＣＩ  ｓｐｌｉｔ）を事前設定し、ＣＳＧセルが、ＰＣＩ  ｓｐｌｉｔ内のＰＣＩを利用する。マクロセルと同様に、ＣＳＧセルは、物理層識別子ＰＣＩと、セルグローバル識別子（Ｃｅｌｌ  Ｇｌｏｂａｌ  Ｉｄｅｎｔｉｆｉｅｒ：ＣＧＩと略称される）とを有する。物理層識別子ＰＣＩに有限であるため、家庭内基地局の大量配置に従って、ＰＣＩは、１つのＣＳＧセルのみを表すことができないが、ＣＧＩは、公衆陸上移動通信網（Ｐｕｂｌｉｃ  Ｌａｎｄ  Ｍｏｂｉｌｅ  Ｎｅｔｗｏｒｋ：ＰＬＭＮ）範囲内で唯一であるため、ＵＥとマクロ基地局は、ＣＧＩを取得する以外に、１つのＣＳＧセルのみを確定することができない。
【００１３】
家庭内基地局の大量配置に従って、移動性要求を満たすために、ＵＥがマクロセルとＣＳＧセルとの間、又はＣＳＧセルとＣＳＧセルとの間でハンドオーバーを要求させる。家庭内基地局がプラグアンドプレイになる装置として移動性を有し、且つ、大量配置されたので、一般的に、マクロセルとＣＳＧセルとの間に、隣接セル関係を配置させない、即ち、ＵＥが、マクロセルからＣＳＧセルにハンドオーバーするときに隣接ＣＳＧセルの情報を取得することができなく、ＵＥが、リアルタイムで検出することを介してＣＳＧセルのＣＳＧ  ＩＤ、ＣＧＩ、トラッキングエリアコード（Ｔｒａｃｋｉｎｇ  Ａｒｅａ  Ｃｏｄｅ：ＴＡＣ）、ＰＬＭＮなどの情報を取得する以外に、ハンドオーバーの目的を達成することができない。同時に、ＵＥが、ある許可されたＣＳＧセルに優先又は優待権利を有するため、これによって、ＵＥは、なるべく速く最適なＣＳＧセルにハンドオーバーする必要がある。
【００１４】
アイドル状態で、ＵＥは、システムメッセージに配置されなくの、ミクスト周波数又は専用周波数に位置する最適なＣＳＧセルを自動的にサーチし、接続状態において、ＵＥは、ミクスト周波数又は専用周波数に位置するアクセス可能なＣＳＧセルに自動的にサーチする必要もある。しかも、従来のプロトコルを採用すると、ＵＥは、測定構成におけるミクスト周波数又は専用周波数に存在しないＣＳＧセルを評価することができない。同時に、測定レポートフォーマットに限定されるため、ＵＥは、測定構成におけるミクスト周波数又は専用周波数に位置しないＣＳＧセルを報告することも実施できない。ネットワーク側が、ＵＥのために専用周波数における測定構成を配置する場合、ＵＥは、従来の報告メカニズムを利用すると、多くの余計な測定報告を引き起こしてしまい、測定レポートでは、ＵＥがアクセスできないＣＳＧセルを報告するため、この余計な測定報告がネットワークの性能に厳しい影響を与えるため、接続状態にあるＵＥが、順調的に優先にＣＳＧセルにアクセスすることができないことをもたらす。
【発明の概要】
【発明が解決しようとする課題】
【００１５】
本発明が解決しようとする技術的な課題は、ＵＥがＣＳＧセルに対する移動性要求を解決し、大量の余計な測定レポートを避けることができる限定加入者グループセルの測定報告方法及び対応するＵＥを提供する。
【課題を解決するための手段】
【００１６】
前記技術的な課題を解決するために、本発明は、限定加入者グループセルの測定報告方法を提供することであって、
接続状態にあるユーザー装置ＵＥが隣接のＣＳＧセルを検出し、前記ＣＳＧセルにアクセスでき、且つ前記ＣＳＧセルの測定結果が条件を満たす場合、前記ＣＳＧセルを含む測定レポートをネットワーク側に送信することを含む前記測定報告方法。
【００１７】
前記測定報告方法は、
接続状態にあるＵＥが積極的に測定構成における周波数に位置しないＣＳＧセルを検出した後に、当該ＵＥが前記ＣＳＧセルにアクセスでき且つ前記ＣＳＧセルの信号品質が所定条件を満たすと判断する場合、前記ＣＳＧセルを含む測定レポートをネットワーク側に送信することをさらに含むことを特徴とする。
【００１８】
前記測定報告方法には、
前記所定条件が、
ａ）前記ＣＳＧセルが、前記ＣＳＧセルがある周波数において、最も強い信号品質の一つのセル又は最も強い信号品質の複数セル中の１つのセルであるという条件、
ｂ）前記ＣＳＧセルの信号品質が所定閾値を超えたという条件、
ｃ）前記ＣＳＧセルの信号品質がサービスセルの信号品質より所定オフセットだけ高いという条件のうちの少なくとも一つであるという特徴とする。
【００１９】
前記測定報告方法は、
前記ＵＥがデフォルト構成パラメータを採用して、前記ＣＳＧセルの信号品質が所定閾値を超えたかどうかを評価し、または、前記ＣＳＧセルの信号品質がサービスセルの信号品質より所定オフセットだけ高いかどうかを評価し、且つ、前記ＣＳＧセルがＵＥ汎用加入者識別モジュールカードのアクセス許可リストにある場合に、前記ＣＳＧセルを優先的に報告することができるように、デフォルト構成パラメータを採用するという特徴とする。
【００２０】
本発明は、もう１つの限定加入者グループＣＳＧセルの測定報告方法を提供することであって、
接続状態にあるＵＥが測定構成における周波数に位置しない隣接ＣＳＧセルを積極的に検出した後に、当該ＵＥが前記ＣＳＧセルにアクセスできるかどうかを判断し、アクセスできる場合、ネットワーク側に測定構成に対する指示リクエストを送信し、前記ＵＥによってネットワーク側に送信した指示リクエストには前記ＣＳＧセルの周波数情報及び帯域幅情報のうち少なくとも一方を含むことを含む。
【００２１】
前記測定報告方法は、
当該ＵＥが前記ＣＳＧセルにアクセスできるかどうかを判断するステップにおいて、当該ＣＳＧセルに属する家庭内基地局のアクセスモードがクローズドモード又はハイブリッドモードであり、且つ、当該ＣＳＧセルが前記ＵＥのＣＳＧリストにある場合、アクセス可能と判断するという特徴とする。
【００２２】
前記測定報告方法は、
当該ＵＥが前記ＣＳＧセルにアクセスできるかどうかを判断するステップにおいて、当該ＣＳＧセルに属する家庭内基地局のアクセスモードがハイブリッドモードであり、且つ、当該ＣＳＧセルが前記ＵＥのＣＳＧリストに位置しないと、アクセス可能と判断するという特徴とする。
【００２３】
前記測定報告方法は、
ネットワーク側が前記指示リクエストを受信した後に、前記ＵＥに、前記ＣＳＧの周波数を含む測定構成を送信し、前記ＵＥが受信した後に、前記測定構成に応じて測定を実施し測定レポートを送信するステップをさらに含んでもよい。
【００２４】
前記測定報告方法は、
前記ＣＳＧセルの周波数を含む測定構成が、測定間隔を含むという特徴とする。
【００２５】
前記測定報告方法は、
ネットワーク側が、ＣＳＧセルに対する専用指示を含む測定構成又はＣＳＧセルに対する専用測定構成を接続状態にあるＵＥに送信し、
前記ＵＥが、専用指示を含む測定構成又は専用測定構成を受信した後に、前記測定構成に応じて測定を実施し、ＣＳＧセルが前記測定構成における報告条件を満たし、且つ、前記ＵＥが前記ＣＳＧセルにアクセスできる場合に、前記ＣＳＧセルを含む測定レポートを報告するという特徴とする。
【００２６】
前記測定報告方法は、
前記ＣＳＧセルに対する専用指示を含む測定構成とは、前記測定構成の測定識別子に対応し、ＣＳＧセルの専用マークを設定した測定構成であり、
前記ＣＳＧセルに対する専用測定構成とは、前記測定構成の測定識別子に対応する測定オブジェクトが周波数情報を有しなく、または複数の周波数情報を有する測定構成であるという特徴とする。
【００２７】
前記測定報告方法は、
前記測定レポートが、ネットワーク側によって唯一に確定される前記ＣＳＧセルの必要な識別情報をキャリーし、又は
前記測定レポートが、ネットワーク側によって唯一に確定される前記ＣＳＧセルの必要な識別情報及び前記ＣＳＧセル信号品質の測定結果をキャリーし、
又は
前記測定レポートが、ネットワーク側によって唯一に確定される前記ＣＳＧセルの必要な識別情報及び前記ＣＳＧセル信号品質の測定結果をキャリーし、及び、前記ＣＳＧのＣＳＧ  ＩＤ、デフォルト測定識別子、前記ＣＳＧセルの周波数情報、前記ＣＳＧセルの帯域幅情報、前記ＣＳＧセルに属する家庭内基地局のアクセスモード、前記ＵＥがメンバーとして前記ＣＳＧセルにアクセスするかあるいは非メンバーとして前記ＣＳＧセルにアクセスするかに関わる指示情報のうちの少なくとも一つの情報をキャリーすることを特徴とする。
【００２８】
前記測定報告方法は、
前記ＣＳＧセルがＬＴＥシステムに属し、ネットワーク側によって唯一に確定される前記ＣＳＧセルの前記識別情報が、物理層識別子及びセルグローバル識別子であり、又は物理層識別子、セルグローバル識別子及びトラッキングエリアコードであり、又は物理層識別子、セルグローバル識別子、トラッキングエリアコード及び公衆陸上移動通信網識別子であり、
又は、前記ＣＳＧセルがＵＴＲＡＮシステムに属し、ネットワーク側によって唯一に確定される前記ＣＳＧセルの前記識別情報が、プライマリスクランブリングコード及びセルグローバル識別子であり、又はプライマリスクランブリングコード、セルグローバル識別子及び位置エリアコードであり、又はプライマリスクランブリングコード、セルグローバル識別子及びルーティングエリアコードであり、又はプライマリスクランブリングコード、セルグローバル識別子、位置エリアコード、ルーティングエリアコード及び公衆陸上移動通信網識別子であるという特徴とする。
【００２９】
前記測定報告方法は、
前記ＵＥが前記ＣＳＧセルのシステムメッセージ又は前記ＵＥ自体に保存した前記ＣＳＧセルの情報から前記ＣＳＧに属する家庭内基地局のアクセスモード及び／又は前記ＣＳＧセルのＣＳＧ識別ＩＤを読み取り、
Ａ）前記ＣＳＧセルに属する家庭内基地局のアクセスモードがクローズドモード又はハイブリッドモードであり、且つ前記ＣＳＧセルが前記ＵＥ汎用加入者識別モジュールカードのＣＳＧリストにあるという条件、
Ｂ）前記ＣＳＧセルに属する家庭内基地局のアクセスモードが開放モードであるという条件、
Ｃ）前記ＣＳＧセルに属する家庭内基地局のアクセスモードがハイブリッドモードであり、且つ前記ＣＳＧセルが前記ＵＥ汎用加入者識別モジュールカードのＣＳＧリストにないという条件のうちのいずれか１つを満たす場合、当該ＵＥが前記ＣＳＧにアクセスできると判断するという特徴とする。
【００３０】
前記測定報告方法は、
前記ＣＳＧセルの周波数を含む周波数情報が１つ又は複数の周波数情報を含むという特徴とする。
【００３１】
本発明は、限定加入者グループＣＳＧセルの測定報告を実現できるユーザー装置を更に提供し、前記ユーザー装置が、接続状態にある場合に、測定構成における周波数にないＣＳＧセルを積極的に検出した後に、当該ユーザー装置が前記ＣＳＧセルにアクセスでき、且つ前記ＣＳＧの信号品質が所定条件に満たすと判断する場合、前記ＣＳＧセルを含む測定レポートをネットワーク側に送信し、前記測定レポートが、ネットワーク側によって唯一に確定される前記ＣＳＧセルの必要な識別情報をキャリーし、前記識別情報が前記ＣＳＧセルのセルグローバル識別子を含むように設定される。
【００３２】
前記ユーザー装置は、前記ユーザー装置によって採用された事前設定条件が
ａ）ＣＳＧセルが当該ＣＳＧセルの周波数において最も強い信号品質の一つのセル又は最も強い信号品質の複数セル中の１つのセルであるという事前設定条件、
ｂ）ＣＳＧセルの信号品質が所定閾値を超えるという事前設定条件、
ｃ）ＣＳＧセルの信号品質がサービスセルの信号品質より所定オフセットだけ高いという事前設定条件のうちの少なくとも１つの事前設定条件である特徴とする。
【００３３】
本発明は、限定加入者グループＣＳＧセルの測定報告を実現できるユーザー装置を更に提供し、前記ユーザー装置が、接続状態にある場合に、測定構成における周波数にない隣接ＣＳＧセルを積極的に検出した後に、当該ユーザー装置が前記ＣＳＧセルにアクセスできるかどうかを判断し、アクセルできる場合に、ネットワーク側に測定構成に対する指示リクエストを送信し、ネットワーク側によって送信した、前記ＣＳＧセルの周波数を含む測定構成を受信した後に、前記測定構成に応じて測定を実施し測定レポートを送信するように設定される。
【００３４】
ここで、前記ユーザー装置は、以下の方式を介して、当該ユーザー装置が前記ＣＳＧセルにアクセスできるかどうかを判断することであって、当該ＣＳＧセルに属する家庭内基地局のアクセスモードがクローズドモード又はハイブリッドモードであり、且つ当該ＣＳＧセルが前記ＵＥのＣＳＧリストにあると判断する場合、アクセス可能であると判断するように設定される。
【００３５】
ここで、前記ユーザー装置は、以下の方式を介して、当該ユーザー装置が前記ＣＳＧセルにアクセスできるかどうかを判断することであって、当該ＣＳＧセルに属する家庭内基地局のアクセスモードがハイブリッドモードであり、且つ当該ＣＳＧセルが前記ＵＥのＣＳＧリストにないと判断する場合、アクセス可能であると判断するように設定される。
【００３６】
ここで、前記ユーザー装置は、ＣＳＧセルのシステムメッセージ又は前記ユーザー装置自体に保存したＣＳＧセルから測定構成における周波数に位置しない隣接ＣＳＧセルを検出し、且つアクセスできるかどうかを判断するように設定される。
【００３７】
ここで、前記指示情報は、前記ＣＳＧセルの周波数の１つ又は複数の周波数情報を含む。
【００３８】
ここで、前記ＣＳＧセルの周波数を含む測定構成は、測定間隔を含む。
【００３９】
本発明は、限定加入者グループＣＳＧセルの測定報告を実現できるユーザー装置を更に提供し、前記ユーザー装置が、ＣＳＧセルに対する専用指示を含む測定構成又はＣＳＧセルに対する専用測定構成を受信した後に、前記測定構成に応じて測定を実施し、ＣＳＧセルが前記測定構成における報告条件を満たし、且つ、当該ユーザー装置が前記ＣＳＧセルにアクセスできる場合に、前記ＣＳＧセルを含む測定レポートを報告し、ここで、
前記ＣＳＧセルに対する専用指示を含む測定構成とは、当該測定構成の測定識別子に対応し、ＣＳＧセルの専用マークを設定した測定構成であり、前記ＣＳＧセルに対する専用測定構成とは、当該測定構成の測定識別子に対応する測定オブジェクトが周波数情報を有しなく、あるいは複数の周波数情報を有する測定構成であるように設定される。
【発明の効果】
【００４０】
前記方法とユーザー装置を介して、ＵＥは測定構成における周波数に位置しないＣＳＧセルが信号品質条件を満たすかどうかを評価することができ、条件を満たしてＣＳＧセルにアクセスできる以外に、測定レポートを報告しない。ＵＥによってＣＳＧセルに対する測定と報告に関する課題を解決して、ネットワーク側が測定レポートに応じてポリシーを決定することができ、ＵＥの移動性要求を満足した。
【図面の簡単な説明】
【００４１】
【図１】本発明の実施例一における方法のフローチャートである。
【図２】ＷＣＤＭＡのネットワークレイアウトを示す図である。
【図３】ＬＴＥシステムのネットワークレイアウトを示す図である
【図４】本発明の実施例二における方法のフローチャートである。
【発明を実施するための形態】
【００４２】
分析のように、従来の測定報告メカニズムでＵＥがＣＳＧセルに優先的にハンドオーバーすることができることを保証できない原因は、ネットワーク側がＵＥに送信した測定構成に、アクセス可能なＣＳＧセルを有する周波数を含まない可能性があり、これらの周波数は、ミクスト周波数である可能性があり、専用周波数である可能性もある。ＵＥが前記これらの周波数においてアクセス可能なＣＳＧセルを積極的に検出した後に報告することができないので、ネットワーク側は、ＵＥがＣＳＧセルに優先的にハンドオーバーするというポリシーを決定することができない。
【００４３】
以下、図面を参照しながら前記課題を解決する本発明の複数の具体的な実施形態を詳しく説明する。この複数の実施例では、ＵＥは、先行の測定構成に応じてＣＳＧセルに対する測定報告を完成できない。これらの実施例では、異なる評価方式に応じて報告するかどうかを判断するが、いずれも、ＵＥがＣＳＧセルにアクセスできると判断した上に報告を実行するため、大量の余計なレポートを送信する状況を避けることができる。
【００４４】
実施例１
本実施例において、接続状態にあるＵＥが、測定構成における周波数に位置しないＣＳＧセルを積極的に検出し、当該ＵＥが前記ＣＳＧセルにアクセスでき、且つ前記ＣＳＧセルの信号品質が所定条件を満たすと判断する場合、前記ＣＳＧセルを含む測定レポートをネットワーク側に送信する。
【００４５】
ＵＥがアクセスできる且つ信号品質が条件を満たすＣＳＧセルは、当該ＵＥの利用可能なＣＳＧセルである。
【００４６】
図１に示されるように、本実施例におけるＣＳＧセルの１つ測定報告方法は、以下のステップを含む。
【００４７】
ステップ１１０、接続状態にあるＵＥが、隣接ＣＳＧセルを検出した時、前記ＣＳＧセルのシステムメッセージを読み取り、
ステップ１２０、前記ＣＳＧセルのシステムメッセージに応じて、前記ＣＳＧセルがＵＥのアクセス可能なセルであるかどうかを判断し、
従来技術においてＵＥが隣接マクロセルに対する測定は、隣接マクロセルのシステムメッセージを読み取る必要がないことを考慮して、同じ方法を採用すれば、ＣＳＧセルが利用可能であるかどうかを判断することができなくなってしまう。そのため、本実施例において、ＵＥが隣接ＣＳＧセルを検出した場合に、前記ＣＳＧセルのシステムメッセージを読み取ることに応じて前記ＣＳＧセルにアクセス可能であるかどうかを判断する。他の実施例において、ＵＥが自体に保存したＣＳＧセル情報を読み取ることに応じて前記ＣＳＧセルにアクセス可能であるかどうかを判断することもできる。
【００４８】
具体的には、ＵＥはＣＳＧセルに属する家庭内基地局のアクセスモード及び／又は前記ＣＳＧセルのＣＳＧ  ＩＤに応じて前記ＣＳＧセルにアクセスできるかどうかを判断する。
【００４９】
アクセス可能な状況は以下の通りである。
【００５０】
１）ＣＳＧセルに属する家庭内基地局のアクセスモードがクローズドモード又はハイブリッドモードであり、且つ当該ＣＳＧセルが当該ＵＥユーザ識別カード、例えば、ＵＳＩＭカードの許可ＣＳＧリストにあり、
２）ＣＳＧセルに属する家庭内基地局のアクセスモードが開放モードであり、
３）ＣＳＧセルに属する家庭内基地局のアクセスモードがハイブリッドモードであり、且つ当該ＣＳＧセルが当該ＵＥユーザ識別カードの許可ＣＳＧリストに位置しない。
【００５１】
ネットワーク側は、ハンドオーバー判断を行い場合に、ＣＳＧのメンバーユーザーに対して、特恵価格などの特恵条件を与え、且つ、ＣＳＧセルにアクセスすると、メンバーユーザーは優先的に無線リソースを取得することができるために、条件１）を満たすＣＳＧセルを優先的にハンドオーバーターゲットセルとする。
【００５２】
ステップ１３０、前記ＣＳＧセルの信号品質が所定条件を満たすかどうかを判断する。
【００５３】
当該所定条件は、以下のいずれかの一つの条件であって
１）ＣＳＧセルが、当該ＣＳＧセルの周波数において、最も強い（ｓｔｒｏｎｇｅｓｔ、即ち、最も強い）信号品質の一つのセル又は最も強い信号品質の複数セル中の１つのセルであり、セルの数がデフォルト構成を採用してよい、
２）ＣＳＧセルの信号品質が所定閾値を超え、閾値がデフォルト構成を採用してよい、
３）ＣＳＧセルの信号品質がサービスセルの信号品質より所定オフセット高くて、オフセットがデフォルト構成を採用してよい。
【００５４】
他の実施例では、前記セルの数、所定閾値、及び所定オフセットなどのパラメータは、ネットワーク側により配置されており、システムメッセージを介して各ＵＥに通知されてもよい。
【００５５】
前記ステップ１３０とステップ１２０との順番が調整でき、即ち、先に信号品質条件を満たすＣＳＧセルを検出し、その後、これらのＣＳＧセルにアクセス可能であるかどうかをそれぞれ判断してもよい。
【００５６】
ステップ１４０、前記ＣＳＧセルを含む測定レポートをネットワーク側に送信する。
【００５７】
本実施例において、測定レポートは、ネットワーク側によって唯一に確定される前記ＣＳＧセルの必要な識別情報と測定結果とを含む必要がある。
【００５８】
ＬＴＥシステムに対して、ＵＥに報告された、ネットワーク側によって唯一に確定される前記ＣＳＧセルの必要な識別情報は、ＰＣＩ、ＣＧＩ、ＴＡＣ及びＰＬＭＮを含んでよい。複数の実施例では、ＵＥとネットワーク側との協定した表現方式又はデフォルト表現方式に基づいて、ＵＥは、エアインターフェースリソースを節約するように、前記識別情報の一部をキャリーしてもよい。例えば、ＣＳＧセルのＴＡＣ及びＰＬＭＮが、現在サービスセルのＴＡＣ及びＰＬＭＮと同じであると、ＵＥは、ＰＣＩ及びＣＧＩのみを報告してよくて、又はＣＳＧセルと現在サービスセルが同一ＰＬＭＮにあるが、ＴＡＣが異なると、ＵＥは、ＰＣＩ、ＣＧＩ及びＴＡＣを報告する必要がある。ネットワーク側が効果的にＣＳＧセルを区分してＰＣＩ  ｃｏｎｆｕｓｉｏｎを避けることができると、ＵＥは、ただ１つのＣＳＧセルを判断するように、ＰＣＩのみを報告する必要がある。ＣＧＩは、ＴＡＣ又は位置エリアコード（Ｌｏｃａｔｉｏｎ  Ａｒｅａ  Ｃｏｄｅ：ＬＡＣ）、ルーティングエリアコード（Ｒｏｕｔｉｎｇ  Ａｒｅａ  Ｃｏｄｅ：ＲＡＣ）と一緒に、ルーティング情報を構成することにも用いられる。
【００５９】
ＵＴＲＡＮシステムに対して、ＵＥに報告された、ネットワーク側によって唯一に確定されるＣＳＧセルの必要な識別情報は、プライマリスクランブリングコード（Ｐｒｉｍａｒｙ  Ｓｃｒａｍｂｌｉｎｇ  Ｃｏｄｅ：ＰＳＣと略称される）、ＣＧＩ、ＬＡＣ、ＲＡＣ及びＰＬＭＮを含んでよい。複数の実施例では、ＵＥとネットワーク側との協定した表現方式又はデフォルト表現方式に基づいて、ＵＥは前記識別情報の一部をキャリーしてもよい。例えば、ＣＳＧセルのＬＡＣ、ＲＡＣ及びＰＬＭＮが、現在サービスセルのＬＡＣ、ＲＡＣ及びＰＬＭＮと同じであると、ＵＥはＰＳＣ及びＣＧＩのみを報告してよいし、あるいは、具体的な状況に応じて、ＰＳＣ、ＣＧI及びＬＡＣ、又はＰＳＣ、ＣＧＩ及びＲＡＣ、又はＰＳＣ、ＣＧＩ、ＬＡＣ及びＲＡＣ、又はＰＳＣ、ＣＧＩ、ＬＡＣ、ＲＡＣ及びＰＬＭＮを報告してよい。ネットワーク側が効果的にＣＳＧセルを区分してＰSＣ  ｃｏｎｆｕｓｉｏｎを避けることができると、ＵＥはただ１つのＣＳＧセルを判断するように、ＰＳＣのみを報告する必要がある。ＣＧＩは、ＴＡＣ又はＬＡＣ、ＲＡＣと一緒に、ルーティング情報を構成することにも用いられる。
【００６０】
前記情報以外に、測定レポートは、前記ＣＳＧのＣＳＧ  ＩＤ、アクセスモード情報、デフォルト測定識別子、ＣＳＧセルの周波数情報及びＣＳＧセルの帯域幅情報のうちの少なくとも一つの情報をキャリーしてもよい。アクセスモード情報は、ＣＳＧセルに属する家庭内基地局のアクセスモード及び／又は、ＵＥがどのような方式として、例えば、メンバー又は非メンバーとしてＣＳＧセルにアクセスするかに関する指示情報、即ち、ＣＳＧセルがＵＥの許可ＣＳＧリストにあるかどうかに関する情報を含む。測定レポートにおいて、プロトコルに協定されたデフォルト測定識別子を利用してもよい。デフォルト測定識別子を利用しないと、ＣＳＧセルの周波数が価値あるレポートパラメータとなる。もちろん、デフォルト測定識別子と周波数とをすべて報告する必要がない可能性がある。
【００６１】
ＵＥが１つの周波数における複数のＣＳＧセルを検出し、複数のセルがアクセス可能であり、且つ信号品質が所定条件を満たす場合、１つの測定レポートに当該複数のＣＳＧセルを含んでよい。
【００６２】
以下、複数の応用例を参照して、実施例１の実現プロセスを詳しく説明する。
【００６３】
応用例１
ＷＣＤＭＡシステムのネットワークレイアウトが図２に示されるように、無線ネットワーク制御装置（Ｒａｄｉｏ  Ｎｅｔｗｏｒｋ  Ｃｏｎｔｒｏｌｌｅｒ：ＲＮＣ）と当該ＲＮＣに属する基地局との間にインターフェースＩｕｂがあり、ＵＥが、基地局１に属するセルにあるとする。ＵＥが接続状態にあり、当該ＵＥが、アクセス可能なＣＳＧセルリストを有し、当該ＵＥが測定報告を行う具体的なプロセスは、下記のようである。
【００６４】
ＲＮＣは、測定識別子、測定必要がある隣接セル情報、ＴＴＴなどの測定構成を含む測定制御メッセージをＵＥに送信する。ＵＥは、測定制御メッセージにおける情報に応じて全部の測定識別子に対してパラメータ初期化処理を行い、初期化されたパラメータに応じて報告条件を満たす全部の測定オブジェクトを評価・確定し、測定レポートを生成してＲＮＣに送信する。
【００６５】
その間、ある時刻において、当該ＵＥは、隣接ＬＴＥシステムが周波数ｆ１のＣＳＧセルにあることを積極的に検出し、当該ＣＳＧセルのシステムメッセージを読み取ることを介して当該ＣＳＧセルのＣＳＧＩＤ及びアクセスモード（クローズドモード）を取得し、ＵＥは、当該ＣＳＧ  ＩＤがアクセス許可のＣＳＧリストにあり、同時に、当該ＣＳＧセルの信号品質がｆ１において最もよいことを検出する。当該周波数ｆ１がＲＮＣによって送信した測定制御メッセージに位置しないため、この際、ＵＥは、当該ＣＳＧセルを含む測定レポートをネットワーク側に送信し、当該測定レポートがデフォルト測定識別子を採用する。
【００６６】
当該測定レポートはＵＥによって取得した当該ＣＳＧセルのＣＧＩ、ＴＡＣ、ＰＬＭＮ及びＰＣＩを更に含み、当該ＣＳＧセルのＣＳＧ  ＩＤ及びアクセスモード情報をさらに含んでもよくて、アクセスモード情報が、当該ＣＳＧセルのアクセスモード（クローズドモード）及びＵＥが当該ＣＳＧセルにアクセスする方式に関する情報（例えば、メンバーとしてアクセスする）を含む。測定レポートは、当該ＣＳＧセルの信号品質の測定結果ＲＳＲＰ又はＲＳＲＱを更に含む。
【００６７】
ＲＮＣは、測定レポートを受信した後、ハンドオーバーポリシーを行い、当該ＵＥを当該ＣＳＧセルにハンドオーバーし、ＣＳＧセルに優先的にアクセスする目的を実現した。ＲＮＣに設定されたハンドオーバーポリシーにおいて、ＵＥをメンバーとしてアクセス可能なＣＳＧセルに優先的にハンドオーバーする。
【００６８】
応用例２
ＬＴＥシステムのネットワークレイアウトは図３に示されるように、コアネットワークと基地局（マクロ基地局）との間でインターフェースＳ１があり、隣接セルの間でインターフェースＸ２がある。家庭内基地局をコアネットワークに直接接続してよいし、家庭内基地局ゲートウェイを介してコアネットワークに接続してもよくて、家庭内基地局の間及び家庭内基地局とマクロ基地局との間でインターフェースＸ２がない。ＵＥはマクロ基地局に属するセルに位置して、接続状態にあり、当該ＵＥは、アクセス許可のＣＳＧセルリストを有する。
【００６９】
マクロ基地局は、測定識別子、測定必要がある隣接セル情報、ＴＴＴなどの測定構成の情報を含む測定制御メッセージをＵＥに送信する。ＵＥは、測定制御メッセージにおける情報に応じて、全部の測定識別子に対して、パラメータ初期化処理を行い、ＵＥは、初期化されたパラメータに応じて報告条件を満たす全部の測定オブジェクトを評価・確定し、測定レポートを生成してマクロ基地局に送信する。当該測定構成において、周波数ｆ２に位置する隣接セルの信号品質がサービスセル（周波数ｆ１にある）の信号品質より所定オフセット（Ｏｆｆｓｅｔ）高いと定義された測定識別子１を含み、周波数ｆ２の周波数特定オフセットがＯｆｎであり、周波数ｆ２に位置する異なる隣接セルが各セル自体の特定オフセットＯｃｎを有し、サービスセルの周波数特定オフセットがＯｆｓであり、サーボスセルの特定オフセットがＯｃｓである。
【００７０】
その間、ある時刻において、ＵＥは、周波数ｆ３に位置するＬＴＥシステムのＣＳＧセル（Ｃｅｌｌ１）を積極的に検出し、当該ＣＳＧセルのシステムメッセージ、又は、ＵＥに保留された当該ＣＳＧセルの情報（ＵＥが、当該ＣＳＧの完備な情報、例えば、位置、周波数、ＰＣＩ、ＣＳＧ  ＩＤ、ＣＧＩなどを保存しており、ＵＥが、位置などの精確な情報に応じて、当該隣接セルが保存されたＣＳＧセルであることを判断することができる）などを読み取ることに応じて、当該ＣＳＧセルのＣＳＧ  ＩＤ及びアクセスモード（ハイブリッドモード）を取得し、ＵＥは、当該ＣＳＧ  ＩＤがアクセス許可のＣＳＧリストにあることを検出する。当該周波数ｆ３が測定構成の周波数に位置しないため、ＵＥは、デフォルト構成パラメータを採用して当該ＣＳＧセルの信号品質がサービスセルの信号品質より所定オフセットだけ高いと評価し、（本例において、当該ＣＳＧセルの周波数特定のデフォルトオフセットＯｆｎがＯｆｓに等しくて、セルの所定のオフセットＯｃｎが０である。なお、ＵＥアクセス許可リストにある隣接セルに対して、そのＯｆｎとＯｃｎの数値がＣＳＧセルを優先的に報告することを表す必要があり、デフォルト値を取り、または、サービスセルの対応値を取り、または、測定構成における最大値を取る。所定オフセットＯｆｆｓｅｔが０であり、ＴＴＴに対してデフォルト値１００ミリ秒を取る）、この際、ＵＥは、当該ＣＳＧセルを含む測定レポートを送信し、測定レポートが、当該ＣＳＧセルの周波数情報及び帯域幅情報を含み、測定レポートが、ＵＥによって取得した当該ＣＳＧセル（Ｃｅｌｌ１）のＣＳＧ  ＩＤ、ＣＧＩ、ＰＣＩ（現在サービスセルのＴＡＣ及びＰＬＭＮと同じように、ＴＡＣ及びＰＬＭＮが報告されない）を更に含み、アクセスモード情報（当該ＣＳＧセルのアクセスモード及びＵＥがメンバーとしてアクセスすること）をさらに含んでもよく、測定レポートが、当該ＣＳＧセルの信号品質の測定結果ＲＳＲＰ又はＲＳＲＱを更に含む。ネットワークが効果的にＣＳＧセルを区分してＰＣＩ  ｃｏｎｆｕｓｉｏｎを避けることができると、ＵＥは当該ＣＳＧセルの識別子を表すようにＰＣＩのみを報告する。
【００７１】
当該例の１つの変形例では、その間、ある時刻において、ＵＥは周波数ｆ４に位置するＬＴＥシステムのＣＳＧセル（Ｃｅｌｌ２）を積極的に検出し、当該ＣＳＧセルのシステムメッセージを読み取ることを介して該ＣＳＧセルのＣＳＧ  ＩＤ及びアクセスモード（クローズドモード）を取得し、ＵＥは、当該ＣＳＧＩＤがアクセス許可のＣＳＧリストにあることを検出する。同時に、当該周波数ｆ４が測定構成に位置しないため、ＵＥは、デフォルトパラメータを採用して当該ＣＳＧセルを評価して、当該ＣＳＧセルの信号品質が所定閾値（当該ＣＳＧセルの周波数の特定オフセットＯｆｎがＯｆｓに等しくて、セルの特定オフセットが０であり、所定閾値をＲＳＲＰに対して５０（有効値が０〜９７とする）とし、ＴＴＴに対してデフォルト値２００ミリ秒を取る）を超えたことを検出し、ＴＴＴがタイムアウトの場合に、ＵＥは、当該ＣＳＧセルを含む測定レポートを直ちに送信し、測定レポートが、当該ＣＳＧセルの周波数情報及び帯域幅情報を含み、ＵＥによって取得した当該ＣＳＧセル（Ｃｅｌｌ２）のＣＧＩ、ＰＣＩ（現在サービスセルのＴＡＣ及びＰＬＭＮと同じように、ＴＡＣ及びＰＬＭＮが報告されない）を更に含み、当該ＣＳＧセルの信号品質の測定結果ＲＳＲＰを更に含み、ＣＳＧ  ＩＤ、アクセスモード情報をさらに含んでよい。なお、ネットワーク側が、効果的にＣＳＧセルを区分してＰＣＩ  ｃｏｎｆｕｓｉｏｎを避けることができると、ＵＥは、当該ＣＳＧセルの識別子を表すようにＰＣＩのみを報告する。ネットワーク側が、アクセス制御を行うための当該ＣＳＧセルのアクセスモード及びＣＳＧ  ＩＤを積極的に取得できると、ＵＥは、ＣＳＧ  ＩＤ及びアクセスモード情報を報告する必要がない。
【００７２】
マクロ基地局が測定レポートを取得した後、ハンドオーバーポリシーを行い、当該ＵＥを周波数ｆ４にある当該ＣＳＧセル（Ｃｅｌｌ２）にハンドオーバーする。
【００７３】
応用例３
ＬＴＥシステムを例として、ＵＥはマクロ基地局（又は家庭内基地局）に属するセルに位置して、接続状態にあり、当該ＵＥは、アクセス許可のＣＳＧセルリストを有する。
【００７４】
マクロ基地局（又は家庭内基地局）は、２つの周波数に対する２つの測定構成を含む測定制御メッセージをＵＥに送信する。当該測定制御メッセージは、測定識別子１及び識別子２（測定識別子１が周波数ｆ１及び測定イベントＡ４に対応し、測定識別子２がＵＴＲＡＮシステムの周波数ｆ２及び報告された最も強いセルの測定構成に対応し、報告された最も強いセルの数（ｍａｘＲｅｐｏｒｔＣｅｌｌｓ）がネットワーク側で３と配置される）、測定必要な隣接セル情報及びＴＴＴなどを含み、イベントＡ４が、イベントによりトリガされた一回報告である。イベントＡ４は、隣接セルの信号品質が所定閾値より高いことを指摘する。測定識別子２は、周期的な測定構成であり、ＵＥが周波数ｆ２における隣接セルを測定して最も強いセル（又はセル群）の測定結果を周期的に報告することである。
【００７５】
ＵＥは、測定制御メッセージにおける情報に応じて、測定識別子１及び測定識別子２に対してパラメータ初期化処理を行い、ＵＥは、初期化されたパラメータ、イベントＡ４の所定閾値に応じて、隣接セルの測定結果に対してイベント評価を行って、評価を介して測定イベントＡ４のトリガ条件を満たして持続時間がＴＴＴ以上である全部の隣接セルを確定する。ＵＥは、イベントトリガ条件を満たす全部の隣接セルを対応する識別子のセルリストに入れ、イベントＡ４の測定レポートを生成して基地局に送信する。
【００７６】
その間、ある時刻において、ＵＥは、周波数ｆ３にあるＷＣＤＭＡシステムのＣＳＧセル（Ｃｅｌｌ１）を検出し、当該ＣＳＧセルのシステムメッセージを読み取ることを介して、当該ＣＳＧセルのＣＳＧ  ＩＤ及びアクセスモード（クローズドモード）を取得し、ＵＥは当該ＣＳＧ  ＩＤがアクセス許可のＣＳＧリストにあることを検出する。同時に、当該周波数ｆ３が測定構成に位置しないため、ＵＥは、デフォルトパラメータを採用して当該ＣＳＧセルを評価して、当該ＣＳＧセルが当該周波数において信号品質が最もよいことを検出し、この際、ＵＥは、当該ＣＳＧセルを含む測定レポートを報告する。測定レポートは、当該ＣＳＧセルの周波数情報を含み、ＵＥが取得した当該ＣＳＧセル（Ｃｅｌｌ１）のＣＳＧＩＤ、ＣＧＩ、ＬＡＣ、ＲＡＣ、ＰＬＭＮ、及びＰＳＣを更に含み、当該ＣＳＧセルの信号品質の測定結果も含む。
【００７７】
当該例の１つの変形例では、その間、ある時刻において、ＵＥは、周波数ｆ４にあるＬＴＥシステムのＣＳＧセル（Ｃｅｌｌ２及びＣｅｌｌ３）を積極的に検出し、この２つのＣＳＧセルのシステムメッセージを読み取ることを介して、それらのＣＳＧ  ＩＤ及びアクセスモード（Ｃｅｌｌ２に属する基地局がクローズドモードであり、Ｃｅｌｌ３に属する基地局がハイブリッドモードである）を取得し、ＵＥは、当該Ｃｅｌｌ２のＣＳＧ  ＩＤがアクセス許可のＣＳＧリストにあり、Ｃｅｌｌ３のＣＳＧ  ＩＤがリストに位置しないことを検出する。同時に、当該周波数ｆ４が測定構成に位置しないため、ＵＥはデフォルトパラメーターを採用してこの２つのＣＳＧセルを評価して、この２つのＣＳＧセルの信号品質がすべて所定閾値（ＣＳＧセルの周波数特定オフセットがデフォルト値を取り、セル所定のオフセットが０であり、所定閾値がＲＳＲＰに対して４８を取り（有効値が０〜９７である）、ＴＴＴがデフォルト値２００ミリ秒を取る）を超えたことを検出する。ＴＴＴがタイムアウトにある場合に、ＵＥはこの２つのＣＳＧセルを含む測定レポートを直ちに送信する。測定レポートは、この２つのＣＳＧセルの周波数情報を含み、ＵＥが取得したこの２つのＣＳＧセルのＣＧＩ、ＰＣＩ（現在サービスセルのＴＡＣ及びＰＬＭＮと同じように、ＴＡＣ及びＰＬＭＮが報告されない）を更に含み、それぞれのＣＳＧ  ＩＤ、アクセスモード情報（この２つのＣＳＧセルのアクセスモード、及びＵＥがメンバーとしてＣｅｌｌ２にアクセスすること、ＵＥが非メンバーとしてＣｅｌｌ３にアクセスすること）をさらに含んでもよく、この２つのＣＳＧセルの信号品質の測定結果ＲＳＲＰを更に含む。
【００７８】
基地局は、測定レポートを受信した後に、ハンドオーバーポリシーを行い、当該ＵＥを周波数ｆ４におけるＣＳＧセル（Ｃｅｌｌ２）にハンドオーバーする。
【００７９】
実施例２
本実施例におけるＵＥは、測定構成に位置しない周波数におけるＣＳＧセルがアクセス可能な隣接ＣＳＧセルであることを検出した後、ネットワーク側が前記ＣＳＧセルの周波数の測定構成を送信することを要求し、前記測定構成に応じて、測定及び報告を実施する。具体的なステップは下記のようである。
【００８０】
ステップ２１０、接続状態にあるＵＥが、測定構成に位置しない周波数におけるＣＳＧセルが、アクセス可能な隣接ＣＳＧセルであることを検出し、
ＵＥによって当該ＵＥがＣＳＧセルにアクセスできるかどうかを判断する方法は、実施例１と同一であり、ここで詳細な記載は不要である。
【００８１】
ステップ２２０、ＵＥは指示リクエストをネットワーク側に報告し、
本実施例において、指示リクエストには、検出されたＣＳＧセルの周波数情報を含み、ＣＳＧセルが複数の周波数にある場合に、複数の周波数情報を報告する必要がある。他の実施例において、帯域幅情報を含んでもよい。ネットワーク側は、残りの利用可能な各周波数にＣＳＧセルの周波数を含む測定構成を配置してＵＥに送信することができるので、当該ステップにおける指示リクエストは、ＣＳＧセルの周波数情報を含まなくてもよい。
【００８２】
ステップ２３０、ネットワーク側が、指示リクエストを受信した後、検出されたＣＳＧセルがある周波数を含む測定構成をＵＥに送信する。
【００８３】
ステップ２４０、ＵＥは前記測定構成を受信した後、前記測定構成に応じて測定及び報告を実施する。
【００８４】
以下、複数の応用例を参照して、実施例２の実現プロセスを詳しく説明する。
【００８５】
応用例４
ＬＴＥシステムを例として説明し、ＵＥがマクロ基地局に属するセルに位置して、接続状態にあり、当該ＵＥが、アクセス許可のＣＳＧセルリストを有する。
【００８６】
マクロ基地局は、測定識別子、測定必要な隣接セル情報及びＴＴＴなどを含む測定制御メッセージをＵＥに送信する。ＵＥは、測定制御メッセージにおける情報に応じて全部の測定識別子に対してパラメータ初期化処理を行い、初期化されたパラメータに応じて報告条件を満たす全部の測定オブジェクトを評価・確定し、測定レポートを生成してマクロ基地局に送信する。
【００８７】
その間、ある時刻において、ＵＥは、周波数ｆ１にあるＣＳＧセル（Ｃｅｌｌ１）を積極的に検出し、当該ＣＳＧセルのシステムメッセージを読み取ることを介して、当該ＣＳＧ  ＩＤ及びアクセスモード（ハイブリッドモード）を取得し、ＵＥは、当該ＣＳＧ  ＩＤがアクセス許可のＣＳＧリストにあることを検出する。周波数ｆ１が測定構成に位置しないので、ＵＥは、マクロ基地局に指示を送信して、ネットワークが当該ＵＥのために当該ＣＳＧの周波数の測定構成を配置することを要求し、ＵＥは、測定レポート、又は他の無線インターフェースシグナル（例えば、無線接続再構成終了など）、又はＭＡＣ層のシグナルを介して、ネットワーク側に、当該ＣＳＧセルの周波数情報を含む当該指示リクエストを送信することができる。
【００８８】
ＵＥが複数の周波数にある複数のＣＳＧセルを積極的に検出する場合、指示請求には、複数の周波数情報が含まれ、ネットワークが受信した後、当該複数の周波数構成を同時に送信する。
【００８９】
ネットワーク側は、当該指示リクエストを受信した後、当該ＵＥに周波数ｆ１を含む測定構成を送信し、ここで、測定識別子１が、周波数ｆ１及びイベントＡ４と定義され、イベントＡ４が、隣接セルの信号品質が所定閾値を超えたことであり、新しい測定構成が、測定間隔の設定を更に含む。ＵＥは、新しい測定構成を受信した後、当該ＣＳＧセルの信号品質を評価し、例えば、イベントトリガ条件を満たして且つ持続時間がＴＴＴを超える場合、ＵＥはネットワーク側に測定識別子１の測定レポートを送信する。当該測定レポートには、ＵＥが取得した当該ＣＳＧセル（Ｃｅｌｌ１）のＣＧＩ、ＴＡＣ、ＰＬＭＮ及びＰＣＩを含み、ＣＳＧ  ＩＤ及びＣｅｌｌ１に属する基地局がハイブリッドモードである情報を含むアクセスモード情報、及び／又はＣｅｌｌ１のＣＳＧ  ＩＤがＵＥの許可ＣＳＧリストにある指示情報を含んでもよい。測定レポートは当該ＣＳＧセルの信号品質の測定結果ＲＳＲＰ値を更に含む。
【００９０】
基地局が測定レポートを受信した後、ハンドオーバーポリシーを行い、当該ＵＥを周波数ｆ１における当該ＣＳＧセル（Ｃｅｌｌ１）にハンドオーバーする。
【００９１】
応用例５
ＷＣＤＭＡシステムを例として説明し、ＵＥが接続状態にあり、当該ＵＥがアクセス許可のＣＳＧセルリストを有し、当該ＵＥが測定を行う具体的なプロセスは、下記のようである。
【００９２】
ＲＮＣは、測定識別子、測定必要な隣接セルの情報及びＴＴＴなどを含む測定制御メッセージをＵＥに送信する。ＵＥは、測定制御メッセージにおける情報に応じて全部の測定識別子に対してパラメータ初期化処理を行い、初期化されたパラメータに応じて報告条件を満たす全部の測定オブジェクトを評価・確定し、測定レポートを生成してＲＮＣに送信する。
【００９３】
その間、ある時刻において、当該ＵＥは、ＷＣＤＭＡシステムにおける周波数ｆ１（サービスセルがある周波数ではない）にある隣接するＣＳＧセルを検出し、当該ＣＳＧセルのシステムメッセージを読み取ることを介して、当該ＣＳＧセルのＣＳＧ  ＩＤ及びアクセスモード（クローズドモード）を取得し、ＵＥは、当該ＣＳＧ  ＩＤがアクセス許可のＣＳＧリストにあることを検出する。周波数ｆ１が測定構成に位置しないので、ＵＥはＲＮＣに指示を送信して、ネットワーク側が当該ＵＥのために当該ＣＳＧの周波数の測定構成を配置することを要求する。ＵＥは、測定レポート又は他の無線インターフェースシグナル（無線接続再構成終了など）を介してネットワーク側に当該ＣＳＧセルの周波数情報を含む当該指示リクエストを送信してもよい。
【００９４】
ネットワークが当該指示リクエストを受信した後、当該ＵＥに周波数ｆ１を含む測定構成を送信し、ここで、測定イベント２ｂが、サービス周波数の信号品質が所定閾値より低くて且つ非サービス周波数の信号品質が所定閾値より高いと定義され、ＵＥは、新しい測定構成を受信した後、当該ＣＳＧセルを評価し、イベントトリガ条件を満たして且つ持続時間がＴＴＴを超える場合、ＵＥは、ネットワーク側に測定レポートを送信し、当該測定レポートが、ＵＥが取得した当該ＣＳＧセルのＣＧＩ、ＬＡＣ、ＲＡＣ、ＰＬＭＮ、及びＰＳＣ（現在サービスセルのＬＡＣ、ＲＡＣ、ＰＬＭＮと同じ場合、ＬＡＣ、ＲＡＣ、ＰＬＭＮが報告されなくてもよい）を含み、当該ＣＳＧセルのＣＳＧ  ＩＤ及び当該ＣＳＧセルのアクセスモード（クローズドモード）及びＵＥが当該ＣＳＧセルにアクセスする許可されたモードに関する情報（例えば、メンバーとしてアクセスする）を含むアクセスモード情報を含んでもよく、測定レポートが、当該ＣＳＧセルの信号品質の測定結果ＲＳＣＰ又はＥｃ／Ｎｏを更に含む。
【００９５】
ＲＮＣは、測定レポートを受信した後に、ハンドオーバーポリシーを行い、当該ＵＥを当該ＣＳＧセルにハンドオーバーし、ＣＳＧセルに優先的にアクセスする目的を実現した。
【００９６】
実施例３
本実施例において、ネットワーク側は、ＣＳＧセルに対する専用指示を含む測定構成又はＣＳＧセルに対する専用測定構成を接続状態にあるＵＥに送信し、ＵＥは、受信した後、前記測定構成に応じて測定を実施する。ＣＳＧセルが測定構成における報告条件を満たして且つ当該ＵＥが前記ＣＳＧセルにアクセスできる場合に、前記ＣＳＧセルを含む測定レポートを送信する。専用指示を含む当該測定構成は、測定識別子に対応するＣＳＧセル専用の特殊な識別子であってよく、専用測定構成は、測定識別子に対応する測定オブジェクトに周波数情報がないもの、又は複数の周波数情報を含むものなどであってよい。
【００９７】
ＵＥは測定する時、複数のアクセス可能なＣＳＧセルを検出して且つ複数のセルが測定構成の報告条件を満たす場合、１つの測定レポートには、当該複数のＣＳＧセルを含んでよい。
【００９８】
以下、複数の応用例を参照して実施例３の実現プロセスを詳しく説明する。
【００９９】
応用例６
ＬＴＥシステムを例として説明し、ＵＥはマクロ基地局又は家庭内基地局に属するセルに位置し、接続状態にあり、当該ＵＥが、アクセス許可のＣＳＧセルリストを有する。
【０１００】
マクロ基地局（又は家庭内基地局）は、３つの周波数に対する３つの測定構成を含む測定制御メッセージをＵＥに送信する。当該測定制御メッセージは、測定識別子１及び測定識別子２（測定識別子１が、周波数ｆ１及び測定イベントＡ４と定義され、測定識別子２が、ＵＴＲＡＮシステムの周波数ｆ２及び報告された最も強いセルの測定構成に対応し、報告された最も強いセルの数（ｍａｘＲｅｐｏｒｔＣｅｌｌｓ）がネットワーク側で３と配置される）、測定必要な隣接セル情報及びＴＴＴなどを含み、イベントＡ４が、イベントによりトリガされた一回報告である。イベントＡ４は、隣接セルの信号品質が所定閾値より高いことを指摘する。測定識別子２は、周期的に測定報告構造であり、ＵＥが周波数ｆ２における隣接セルを測定し、最も強いセル又はセル群の測定結果を周期的に報告する。当該測定制御メッセージは、ＬＴＥシステムの周波数ｆ３及び測定イベントＡ４と定義され、且つ当該測定識別子３に対応し、ＣＳＧセルに専用することを表すマークを設定した測定識別子３を更に含む。
【０１０１】
ＵＥは、測定制御メッセージにおける測定構成に応じて、測定識別子１、測定識別子２及び測定識別子３に対してパラメータ初期化処理を行い、初期化されたパラメータに応じて隣接セルの測定結果を評価し、評価を介してトリガ条件を満たす全部の隣接セルを確定し、測定レポートを生成して基地局に送信する。
【０１０２】
測定識別子３が、ＣＳＧセルに専用するマークに対応するため、ＵＥはこれに対して特殊な処理モードを採用する。ＵＥは、ｆ３におけるＣＳＧセルがアクセス可能なセルであり、且つ信号品質が所定閾値より高い持続時間が、ＴＴＴ以上であると確定する場合、当該ＣＳＧセルを測定識別子３に対応するセルリストに入れ、測定識別子３の測定報告を生成して基地局に送信する。
【０１０３】
その間、ある時刻において、ＵＥは、周波数ｆ３にあるＣＳＧセル（Ｃｅｌｌ１）を検出し、当該ＣＳＧセルのシステムメッセージを読み取ることを介して、当該ＣＳＧセルのＣＳＧ  ＩＤ及びアクセスモード（クローズドモード）を取得し、当該ＣＳＧ  ＩＤがアクセス許可のＣＳＧリストにあることを検出する。同時に、当該ＣＳＧセルの信号品質が所定閾値より高い持続時間が、ＴＴＴ以上であり、ＵＥは、当該ＣＳＧセルを測定識別子３に対応するセルリストに入れ、測定識別子３の測定レポートを送信し、当該レポートが、当該ＣＳＧセル（Ｃｅｌｌ１）のＣＧＩ、ＰＣＩ及びＴＡＣ（現在サービスセルのＰＬＭＮと同じため、ＰＬＭＮが報告がされない）を含み、当該ＣＳＧセルの信号品質の測定結果ＲＳＲＱを更に含む。
【０１０４】
基地局は、測定レポートを取得した後、ハンドオーバーポリシーを行い、当該ＵＥを周波数ｆ３におけるＣＳＧセル（Ｃｅｌｌ１）にハンドオーバーする。
【０１０５】
応用例７
ＬＴＥシステムでは、そのネットワークレイアウトを示す図は図３に示されるように、ＵＥが、マクロ基地局又は家庭内基地局に属するセルに位置して、接続状態にあり、当該ＵＥが、アクセス許可のＣＳＧセルリストを有する。
【０１０６】
マクロ基地局（又は家庭内基地局）は、測定制御メッセージ（測定構成）をＵＥに送信し、ここで、当該測定制御メッセージが、測定識別子１及び測定識別子２（測定識別子１が、周波数ｆ１及び測定イベントＡ１に対応し、測定識別子２が、ＬＴＥシステムの周波数ｆ２及びイベントＡ４に対応する）、測定必要な隣接セル情報、ＴＴＴなどを含む。イベントＡ１は、サービスセルの信号品質が所定閾値より高いことを指摘する。当該測定制御メッセージは、ＬＴＥに適用される測定識別子３及びＷＣＤＭＡに適用される測定識別子４をさらに含み、測定識別子３及び測定識別子４には、特殊な測定構成を採用し、測定識別子３に対応する測定オブジェクトが、周波数情報を含まなく、測定識別子４に対応する測定オブジェクトが、複数の周波数情報ｆ３及びｆ４を含む。測定識別子３及び測定識別子４に対して、すべて、最も強いセルを報告する測定報告構造を採用し、報告数を１とする。
【０１０７】
ＵＥは、測定制御メッセージにおける情報に応じて、測定識別子１、及び測定識別子２に対してパラメータ初期化処理を行い、初期化されたパラメータに応じて隣接セルの測定結果を評価し、評価を介してトリガ条件を満たす全部の隣接セルを確定し、測定レポートを生成して基地局に送信する。
【０１０８】
測定識別子３及び測定識別子４に対して、特殊な測定構成を採用したので（既存の測定識別子が、必ず１つの周波数情報を含み、本例に周波数を含まないこと又は複数の周波数を含むことを特殊なこととする）、ＵＥは、これに対して、ＬＴＥにおけるＣＳＧセルが、アクセス可能なセルであり且つ当該ＣＳＧの周波数において信号品質が最も強いセルであること確定した場合のみに、測定識別子３の測定レポートを生成して基地局に送信することであり、ＷＣＤＭＡにおけるｆ３又はｆ４におけるＣＳＧセルが、アクセス可能なセルであり且つ当該ＣＳＧの周波数において信号品質が最も強いセルであることを確定した場合のみに、測定識別子４の測定レポートを生成して基地局に送信する特殊なモードを採用する。
【０１０９】
その間、ある時刻において、ＵＥが、ＬＴＥシステムの周波数ｆ５にあるＣＳＧセル（Ｃｅｌｌ１）を検出し、当該ＣＳＧセルのシステムメッセージを読み取ることで、当該ＣＳＧセルのＣＳＧ  ＩＤ及びアクセスモード（クローズドモード）を取得し、当該ＣＳＧ  ＩＤがアクセス許可のＣＳＧリストにあり且つ当該ＣＳＧセルの信号品質がｆ５において最もよいことを検出し、測定識別子３の測定レポートを送信し、当該レポートが、当該ＣＳＧセル（Ｃｅｌｌ  １）のＣＧＩ、ＰＣＩ、ＴＡＣ（現在サービスセルのＰＬＭＮと同じようにＰＬＭＮが報告されない）及び周波数情報を含み、当該ＣＳＧセルのＣＳＧ  ＩＤ及びアクセスモード情報を含んでもよく、アクセスモード情報が、当該ＣＳＧセルのアクセスモード（クローズドモード）及びＵＥが当該ＣＳＧセルにアクセスする許可されたモードに関する情報（例えば、メンバーとしてアクセスする）を含み、当該ＣＳＧセルの信号品質の測定結果ＲＳＲＱを更に含む。
【０１１０】
その間、ある時刻において、ＵＥが、ＷＣＤＭＡシステムの周波数ｆ３にあるＣＳＧセル（Ｃｅｌｌ２）を検出し、当該ＣＳＧセルのシステムメッセージを読み取ることで、そのＣＳＧ  ＩＤ及びアクセスモード（ハイブリッドモード）を取得し、当該ＣＳＧセルのＣＳＧ  ＩＤがアクセス許可のＣＳＧリストにあることを検出する。同時に、当該ＣＳＧセルの信号品質がｆ３において最もよくて、ＵＥは、測定識別子４の測定レポートを報告する。当該測定レポートは、当該ＣＳＧセル（Ｃｅｌｌ２）のＣＧＩ、ＰＳＣ、ＲＡＣ、ＬＡＣ（現在サービスセルのＰＬＭＮと同じようにＰＬＭＮが報告されない）及び周波数情報を含み、当該ＣＳＧセルのＣＳＧ  ＩＤ及びアクセスモード情報を含んでもよい。アクセスモード情報は、当該ＣＳＧセルのアクセスモード（ハイブリッドモード）及びＵＥが当該ＣＳＧセルにアクセスする許可されたモードに関する情報（例えば、メンバーとしてアクセスする）を含み、当該ＣＳＧセルの信号品質の測定結果ＲＳＣＰを更に含む。
【０１１１】
基地局は、測定レポートを取得した後、ハンドオーバーポリシーを行い、当該ＵＥを周波数ｆ３におけるＣＳＧセル（Ｃｅｌｌ２）にハンドオーバーする。
【０１１２】
以上は本発明の好ましい実施例だけであり、本発明を制限するものとはならなく、当業者にとって、本発明に各種の変更及び変化を行ってよい。本発明の精神及び特許請求の範囲に従って行われた如何なる修正、均等な変更、改良などは、あらゆる、本発明の請求の範囲に含まれるべきである。
【産業上の利用可能性】
【０１１３】
従来の技術と比べて、本発明は、ＵＥがＣＳＧセルに対する測定及び報告に関する課題を解決し、ネットワーク側が測定レポートに応じてポリシーを確立することができるようにし、ＵＥの移動性要求を満たした。
【図１】
0005412578.tif 000002
【図２】
0005412578.tif 000003
【図３】
0005412578.tif 000004
【図４】
0005412578.tif 000005